(57)【要約】  【課題】分解、組み立てが現場で容易に行え、且つ迅速に収納作業の行う。  【解決手段】１対の主支柱（２）を支持するための支持部材（６）と供物等を載せる台（４）が主支柱（２）に設けられる。これらの部材は、主支柱（２）に対し起伏、折りたたみ等のできる構成になっていて、収納時に支持部材（６）及び台（４）が主支柱（２）から切り離されずにワンタッチで主支柱（２）側に寄せてまとめることができ、収納動作が素人でも簡単にできる。又組み立ても同様にワンタッチでできる。  【選択図】    図１
2005329138.tif 000002
【特許請求の範囲】
【請求項１】
上部が上方向に延び下部が床面に接して設けられる１対の主支柱（２）と、
前記１対の主支柱の上部を相互に結合する上横結合部材（５）と、
上部が前記上横結合部材に屈曲自在な第１繋ぎ部材（１０，４３，４８）を介して繋がり、下部が床面に接して前記１対の主支柱を相対的に揺動して支持する支持部材（６）と、
前記１対の主支柱の下部を相互に結合する下横結合部材（７）と、
一端が前記下横結合部材又は前記支持部材に屈曲自在な第２繋ぎ部材（１２）を介して繋がり、他端が前記下横結合部材又は前記支持部材に跨って載置される台（４）とからなり、
収納時に、前記支持部材と前記台が折りたたまれ前記１対の主支柱側に寄せられることを可能にする儀式用装飾台。
【請求項２】
請求項１に記載の儀式用装飾台において、
前記１対の主支柱の上方に結合補助部材（８）を介して副支柱（３）を設けられる構成になっていることを特徴とする儀式用装飾台。
【請求項３】
請求項１に記載の儀式用装飾台において、
前記支持部材の上方に結合補助部材（４１）を介して副支持部材（４２）を設けられる構成になっていることを特徴とする儀式用装飾台。
【請求項４】
請求項１に記載の儀式用装飾台において、
前記支持部材の下部に前記台を載置するための下支持結合部材（１１）を横方向に延在して設けたことを特徴とする儀式用装飾台。
【請求項５】
請求項１に記載の儀式用装飾台において、
前記第１繋ぎ部材及び前記第２繋ぎ部材は、蝶番（１０）であることを特徴とする儀式用装飾台。
【請求項６】
請求項１に記載の儀式用装飾台において、
前記第１繋ぎ部材は、前記横結合部材に屈曲自在に繋がれる蝶番（４８）と、この蝶番と結合し前記支持部材に連結部材を介して揺動自在に結合するリンク部材（４３）とで構成されることを特徴とする儀式用装飾台。
【発明の詳細な説明】
【技術分野】
【０００１】
本発明は、儀式用に使用される装飾台に関する。更に詳しくは、分解又は折りたたみが容易で、迅速に組み立て収納ができる儀式用装飾台に関する。
【背景技術】
【０００２】
葬儀や祝い行事で代表されるように、慣習的に儀式が行われることが多い。このような儀式には、対象者の写真、花、供物等を置くため、あるいは飾るため種々の装飾台を使用する。このような装飾台は、単にものを置くだけの台ではなく、儀式の内容によってその形式は変わり、例えば、葬儀等では厳かな雰囲気を醸し出すようなものでなくてはならず、菊花で飾るなど装飾の要素が強くその形体は儀式の内容によって又宗派によっても多様をきわめている。
【０００３】
一般にこの装飾台は木製である。樹脂製のものもあるが、成形するための射出成形用設備を必要とするなど、設備を含めた製造コストに加え、雰囲気を醸し出すためにそれなりにコストの高いものとなるので特別のものに限られる。木製のものは、雰囲気を醸し出しやすく、加工がしやすく、しかも加工上の自由度があり、コスト面でも好ましい材料である。この装飾台は同じ物を何度も使用することが多い。この種の装飾台は、１回の使用時には、１日から数日程度の短期間の使用に限られる場合が多い。
【０００４】
従って、実際の使用時間は短く、殆どは使用後次の使用の機会まで倉庫等に収納されることが多い。この収納においては、保管コストの関係からなるべく多く収納できることが要求され、そのため収納容積の少ないことが要求される。装飾台は、歴史的、宗教的な面で従来から特有の形状を有していて、大半は木製であり、荘重さ等を重んじる習慣から、又傷のつき易いこともあって分解するようなことはあまり行われてこなかった。しかし、最近は搬送の利便性、収納スペースをなるべく小さくする等の関係で、荘重さ、雰囲気を損ねない範囲で分解のできるものが種々提案されている。
【０００５】
現在分解できるタイプのものは、各部材が個別に分離しバラバラに離脱した形態のものである。収納するときは、バラバラのものを一式まとめてひもで縛ったり、箱に入れたり等している。分解できるタイプの従来のものとして、例えば、照明機器の設けられた例として、使用中は一体化されているものを使用後は発光体群と装飾台を切り離し、独立して持ち運びのできるものが知られている（特許文献１参照）。又他の例として、支柱部分において、鉛直方向連続部分と婉曲部分とを分離可能とし、その分解、組み立てをねじで行うものも知られている（特許文献２参照）。
【特許文献１】特開平１０−３３３５６号公報
【特許文献２】特開平１１−３１３７５８号公報
【発明の開示】
【発明が解決しようとする課題】
【０００６】
前述のように、従来の装飾台において、分解組み立てのできるものは公知である。しかし、分離されたとき個々の部材がバラバラで、個々に離脱している状態が問題である。現状のものはこのタイプのものが大半であり、収納する場合は、まとめて１セットにするが、組み立ての場合には１セット状態になるように各部材を確かめ、位置合わせをして分解と逆の工程の作業を行う。しかもボルト等により締め付け固定する作業も伴う。作業は人手での作業であり、作業者は分解のときと組み立てのときとで人が変わることもある。
【０００７】
又人手の作業であるので、例えば複数のセットで複数の種類がある装飾台の場合は数が多いと、勘違いをしたり、誤って他の部材同志を組み立てたり、又誤ってまとめることがあり収納を誤ることがある。結果的に、再組み立てのときに部材不足を招くことになる。再組み立ての際部材が合わない、不足している等のトラブルがしばしば生じるおそれがあるのである。最近はこの作業を迅速に行わねばならないこと、収納スペースが限られていることなどから、アルバイト等の素人作業者でも容易に迅速に、分解、組み立てができ、最小限のスペースで収納できる装飾台が望まれている。
【０００８】
本発明は上述のような技術背景のもとになされたものであり、下記目的を達成する。本発明の目的は、宗教的雰囲気等を維持しつつ分解組み立てが容易で迅速に行え、使用後は即座に折りたたみ収容可能な形態にすることができる儀式用装飾台の提供にある。本発明の他の目的は、分解した個々の部材は、母体から分離されず繋がった状態で保管管理のできる儀式用装飾台の提供にある。
【課題を解決するための手段】
【０００９】
本発明は、前記目的を達成するため次の手段を採る。
本発明１の儀式用装飾台は、上部が上方向に延び下部が床面に接して設けられる１対の主支柱と、前記１対の主支柱の上部を相互に結合する上横結合部材と、上部が前記上横結合部材に屈曲自在な第１繋ぎ部材を介して繋がり、下部が床面に接して前記１対の主支柱を相対的に揺動して支持する支持部材と、前記１対の主支柱の下部を相互に結合する下横結合部材と、一端が前記下横結合部材又は前記支持部材に屈曲自在な第２繋ぎ部材を介して繋がり、他端が前記下横結合部材又は前記支持部材に跨って載置される台とからなり、収納時に、前記支持部材と前記台が折りたたまれ前記１対の主支柱側に寄せられることを可能にしている。
【００１０】
本発明２の儀式用装飾台は、本発明１において、前記１対の主支柱の上方に結合補助部材を介して副支柱を設けられる構成になっていることを特徴とする。
【００１１】
本発明３の儀式用装飾台は、本発明１において、前記支持部材の上方に結合補助部材を介して副支持部材を設けられる構成になっていることを特徴とする。
【００１２】
本発明４の儀式用装飾台は、本発明１において、前記支持部材の下部に前記台を載置するための下支持結合部材を横方向に延在して設けたことを特徴とする。
【００１３】
本発明５の儀式用装飾台は、本発明１において、前記第１繋ぎ部材及び前記第２繋ぎ部材は、蝶番であることを特徴とする。
【００１４】
本発明６の儀式用装飾台は、本発明１において、前記第１繋ぎ部材は、前記横結合部材に屈曲自在に繋がれる蝶番と、この蝶番と結合し前記支持部材に連結部材を介して揺動自在に結合するリンク部材とで構成されることを特徴とする。
【発明の効果】
【００１５】
以上詳記したように、本発明の儀式用装飾台は、儀式のある場合と、ない場合に、部材の一部を繋ぎ組み立て、又分割、折りたたみが容易で迅速な作業が行える構成にしたので、素人であっても装飾台を式場で確実に、間違いのない迅速な作業で設置することができる。又、収納する場合も、装飾台を分解しても又折りたたむ場合でも部材は離脱しないで、セット収納がワンタッチでできる。
【発明を実施するための最良の形態】
【００１６】
（実施の形態１）
本発明に関する儀式用装飾台（以下「装飾台」という。）の実施の形態について、図を参照し詳細に説明する。図１から図７は、本発明に関わる装飾台１の実施の形態１を示した図である。図１は、本発明に関わる装飾台１の組み立てられた状態の全体を示す外観図である。図２は装飾台１の正面図で、図３は装飾台１の側面図である。図４は、図２のＸ−Ｘ断面図である。図５は部分的に要部を示した側面の部分断面図で、主支柱２に対する副支柱３の繋ぎ構成と下横結合部材７に対する台４の繋ぎ構成及びその載置構成を示している。図６は主支柱２と副支柱３の接続状態を示す部分断面図である。図７は収納時の構成を示す側面図である。
【００１７】
この装飾台１は、ベースとなる１対の主支柱２に各部材が取り付けられた構成である。１対の主支柱２の上部に追加する構成で、副支柱３が繋ぎ構成で接続される。又、主支柱２の上方部には、上横結合部材５が１対の主支柱２を横方向に結合しており、この上横結合部材５に主支柱２を支持するための支持部材６が揺動自在に繋がれている。主支柱２の下寄りの中間部には、下横結合部材７が上横結合部材５同様に１対の主支柱２を横方向に結合する状態で設けられ、この下横結合部材７と支持部材６に跨って台４が設けられている。
【００１８】
この台４は、図４に示すように円盤状の板構成をなし、主支柱２及び支持部材６の通過部分は切り欠かれている。又、中央部には丸穴４ａが設けられている。この台４には花瓶１３等が載置される。又、主支柱２の上部には正面に向かって受け部２ａを構成し、この受け部２ａに副支柱３に支えられ写真等の入った額等を立て掛けられるようになっている。２つの主支柱２は対をなして構成されており、この主支柱２はこれから説明する他の部材を含め全て木製である。
【００１９】
この装飾台１は美観を重視するので、例えば、白木の材料の場合は、ゴムの木などが使用され、木工用加工機で所望の形状に削り出される。主支柱２の下部は曲線をなしなだらかに幅広になり床面に接している。主支柱２の上部は、追加の状態で副支柱３が接続できるようになっている。この副支柱３は主支柱２を介して飾られるものの支え部材となっていて、従来は主支柱の一部として延長で構成されていた部分である。この接続方法は種々あるが、この実施の形態においては、副支柱繋ぎ部材として金属板製の矩形状の筒体８を主支柱２と副支柱３に跨って被せ、副支柱３の下端部が主支柱２の上端部に突き当たる状態にして差し込む構成とした。
【００２０】
主支柱２と筒体８、又は筒体８と副支柱３とは相互に固定はせず、ただ差し込むだけである。筒体８の下部は主支柱２の受け部２ａに当接し、下方向に落下しないようになっている。この構成により、副支柱３は筒体８を介して主支柱２にもたれて安定化する。取り外すときは、筒体８を抜くだけでよい。ただし、この状態では副支柱３及び筒体８は主支柱２から離脱したままになってしまうので、更に副支柱繋ぎ部材の一部としてひも部材１４をそれぞれに設けておく。又、筒体８は主支柱２又は副支柱３に固定されていてもよい。又、主支柱２の一部に掛け部材を設け、副支柱３を外した後これに副支柱３等を引っ掛ける構成にしてもよい。
【００２１】
これを施すことにより各部材がバラバラになることが避けられる。以上副支柱３と主支柱２の接続に筒体８を使用することで説明したが、図示はしていないが副支柱３と主支柱２の端部に相互に差込み可能な切り込み加工を施して、繋ぎ部材に準じる構成とすれば、筒体８を使用しなくても主支柱２及び副支柱３をつき合わせるだけで接続が可能となる。
次に支持部材６の構成を説明する。本実施の形態において、支持部材６は２つの板柱からなり、上部にはこの２つの板柱を結合するための上支持結合部材９が設けられている。支持部材６を２つの板柱で構成すると安定するが、支持部材６は１つの板柱であってもよい。この支持部材６の上部を構成する上支持結合部材９と上横結合部材５とは、繋ぎ部材の蝶番１０で繋がっている。この接続による構成は、画材のイーゼル等で施されているものと同様構成で周知である。この繋ぎ部材は屈曲自在のもので、蝶番以外に皮、布、ゴムあるいは樹脂製等のものであってもよい。従って支持部材６は主支柱２に対し揺動が可能で、所定角度に傾けて主支柱２を支持すればよい。
【００２２】
この支持部材６の下部にも上部と同様に、２つの板柱を結合するための下支持結合部材１１が設けられている。この構成で支持部材６が１つの板柱で構成されている場合、下支持結合部材１１は不要である。一方、物を載置するための台４は、主支柱２の下横結合部材７に繋ぎ部材である蝶番１２を介して取り付けられ、この台４は主支柱２に対して蝶番１２を支点に起伏自在となっている。蝶番１２は、台４側において、台４の裏面の正面側中間部に取り付けられている。組み立て時に台４を起こしたとき、台４の前部が正面側に張り出す構成となっている。使用時にはこの台４を起こし主支柱２側と反対側にある端部を支持部材６側の下支持結合部材１１に差し掛け水平状態にする。収納時には、この台４を二点鎖線のように倒す。
【００２３】
このようにすることで、この台４の上の正面側４ｂに花瓶１３等を載せることが可能となる。この台４の起伏を可能とする繋ぎ部材は、蝶番１２以外に皮等前述の部材であってもよいことはいうまでもない。本発明の装飾台１はこのような構成で使用されるが、収納時には、台４を下支持結合部材１１から外し、台４を倒して主支柱２側に寄せ、続いて支持部材６を主支柱２側に寄せる。主支柱２の上部に対しては筒体８を副支柱３の上方に主支柱２との当接部がのぞく位置まで引き上げ、副支柱３を筒体８が外れない状態で取り外す。
【００２４】
副支柱３と主支柱２とはひも部材１４で繋がれているので、取り外した後主支柱２の横に吊られる状態で添え置く。このようにすることで、本発明の装飾台１は、取り外し移動対象の部材、即ち、台４、支持部材６、副支柱３、筒体８のそれぞれは、全て主支柱２とは切り離されずに主支柱２側に寄せられ、即座に言い換えるとワンタッチで収納状態にすることができ、又、逆に組み立ても迅速に行うことができる。このように、この装飾台１はコンパクトにまとめたものとなっている。
【００２５】
次に他の実施の形態について説明する。図８から図１１は、副支柱３を主支柱２に対しボルト２０等の繋ぎ部材で固定する構成を示している。副支柱３の側面には金属製のプレート２１が固定され、このプレート２１を介して主支柱２と副支柱３との端部をつき合わせて固定する。この形態の場合は、主支柱２に３つの穴ａ，ｂ，ｃが設けられ、この穴は、図に示すように、穴ａとｂ又穴ａとｃとは幅方向にそれぞれｆ寸法ずれている。プレート２１にも２つの穴ｄ，ｅが設けられ、組み立ての場合は２つのボルト２０等により穴ａとｄ及びｃとｅをそれぞれ合わせて取り付ける。
【００２６】
図８、図９の状態は使用時の状態であり、副支柱３は主支柱２に対し上方に取り付けられる。収納時には取り外され、副支柱３の向きを変え、図１０、図１１に示す状態で再取り付けする。この場合の穴はａとｅ及びｂとｄとでそれぞれ合わせる。組み立てた状態に比しｆ寸法ずれた状態で取り付けることになるので、収納時、このようにすることで副支柱３は主支柱２に対し張り出すことなく、角度を有して主支柱２側に寄せて固定することが可能である。このｆ寸法は主支柱２の傾き状態に合わせて決めればよい。この実施の形態の場合は、筒体８は不要であるが再取り付け作業が必要となる。しかし、副支柱３は収納時にも切り離されずに主支柱２に固定取り付け状態で添え置くことができる。
【００２７】
図１２は、台を変形した実施の形態を示す図である。この台２２は、正面側をやや張り出して張り出し部２２ａを構成し、側面には２つの副台２３を設けこの副台２３を蝶番２４を介して起伏させ、折りたたみのできる構成としたものである。本実施の形態では２つの副台２３としたが、１つであってもよい。収納時は副台２３を上側に折りたためばよい。正面側の張り出し部２２ａが外側に向かって細くなっているのは、収納時の折りたたみの際、張り出し部２２ａが主支柱２の上方に干渉するのを避けるためである。この構成にすることで、台２２上に多くのもの、あるいは大きなものの載置が可能である。
【００２８】
図１３は台４（２２）の正面側と側面の一部にエプロン状の前板２５を設けた構成の部分断面図である。この構成にすると、装飾台１の前部２５ａが広い面になり見栄えがよくなる。この前部２５ａに例えば葬儀の場合、「〇〇家」と表示することもできる。図１４は、支持部材６の下部に下支持結合部材１１と対向する上部に副下支持結合部材２６を設けた形態である。この場合は上下で台４を支持することになり、特に台４の蝶番１２の正面側に重いものが置かれたときに、台４をこの副下支持結合部材２６で支えることになり、台４がバランスを崩して反転するのを防止するのに効果的である。又、この下支持結合部材１１および副下支持結合部材２６は共に丸棒としているが、この形状には限定されない。
【００２９】
図１５は、支持部材６側の下支持結合部材１１に台４の起伏用の蝶番２７を取り付けた場合の構成の部分断面図である。この場合、主支柱２側の下横結合部材７には蝶番１２は取り付けず、台４を置くだけの構成となる。台４の蝶番を主支柱２側あるいは支持部材６側のどちら側に設けてもよい形態を示したものである。図１６、図１７は主支柱２に対する副支柱３の取り付けを示す他の実施の形態の図である。この形態の場合は、副支柱３に鉤部材２８を支軸２９を中心に揺動自在に設け、主支柱２側にはピン体３０を設け、更に副支柱３は主支柱２に対し蝶番３１を介して横方向に折りたたみが可能な構成となっている。組み立てのときは副支柱３を起こし、鉤部材２８をこのピン体３０に引っ掛けることにより、副支柱３を主支柱２の上方に位置させることができる。収納時には、鉤部材２８を外せばよく、副支柱３は折りたたまれて主支柱２の側部に沿えられる。
【００３０】
図１８、図１９は別の構成で、主支柱２に対する副支柱３の他の取り付けを示す他の実施の形態の図を示し、筒体３２を使用する場合である。この形態の場合は、主支柱２に対し副支柱３を蝶番３３を介して折りたためる構成にし、その接合部を被せるようにして筒体３２を主支柱２と副支柱３に跨がせた構成である。前述の実施の形態の変形であるが、副支柱３は収納時に筒体３２を支持したまま折りたたんで、二点鎖線のように主支柱２に添えればよい。図２０は、支持部材６が１つの脚で構成された場合における台３４の載置構成を示した平面図である。支持部材の脚部３５には横方向に下支持結合部材３６を両側に張り出し、この上に台３４を置く。又台３４には、脚部３５が挿入できるように溝３４ａが設けられている。このような構成にすることで、支持部材が１つの脚部であっても安定して台３４を支持できる。
【００３１】
（実施の形態２）
図２１〜図２３は、実施の形態２を示したものである。図２１、図２２は立設状態を、図２３は折りたたみ状態を示す。基本構成は前述の実施の形態１の場合と同じであるが、次の点で前述の形態と異なる構成である。即ち、支持部材４０は１つの板柱として構成し、上部に結合補助部材４１を介して副支持部材４２を設けられる構成にしたことである。又、支持部材４０はリンク部材４３を介して間隔を空けて１対の主支柱４４を支持できる構成にしたことである。
【００３２】
１対の主支柱４４には、前述の実施の形態１の場合と同様に、上部には上横結合部材４５が１対の主支柱４４を横方向に結合しており、下部には１対の主支柱４４の下寄りの中間部に、下横結合部材４６が上横結合部材４５同様に１対の主支柱４４を横方向に結合する状態で設けられている。又、支持部材４０の上部には、前述のようにこの支持部材４０を挟む状態でリンク部材４３の一端が軸体４７を介して揺動自在に設けられている。このリンク部材４３の他端は上横結合部材４５に蝶番４８を介して取り付けられている。
【００３３】
一方、支持部材４０の下部には蝶番４９を介して台５０の一端が揺動自在に取り付けられている。他方１対の主支柱４４の下横結合部材４６には突起４６ａが設けられ、台５０が水平状態を維持して設置されるとき、台５０の他端の穴がこの突起４６ａに係合され台５０を安定させる。支持部材４０の上部には、副支持部材４２が結合補助部材４１を介して追加設置することが可能な構成になっている。図の結合補助部材４１は薄板の角形筒状の差込み可能な形状のものとして図示されているが、他の構成であってもよい。この構成は基本的に前述の実施の形態と同じであり、実施の形態１で説明した他の形態も同様に適用できる。この副支持部材４２は、装飾物５１が長い場合に装飾物５１の上部裏面を支持できることで有効である。
【００３４】
組み立てて立設する場合は以上の構成になるが、収納するときは設置するときの逆の操作で折りたたむことができる。即ち、台５０を下横結合部材４６の突起４６ａから外して略９０度上方へ起こし、支持部材４０をリンク部材４３との揺動動作で折りたたみ、１対の主支柱４４側に寄せられ縮まる。このとき台５０は１対の主支柱４４と支持部材４０との間に挟持され、結果的に小さいスペースに納まりコンパクトになる。この状態を示したのが図２３である。これらの操作はワンタッチで行うことができる。又、支持部材４０上部の副支持部材４２は簡単に取り外しができるので、支持部材４０又は１対の主支柱４４に添えて収納すればよい。
【００３５】
以上、他の実施の形態を含め詳細に説明したが、具体的な装飾台の構成は、儀式の内容によりその形態は種々である。実施の形態に限定されないことはいうまでもない。本実施の形態においては、好ましい形態として全ての部材を主支柱から離脱させない構成で説明したが、形態によっては一部の部材を離脱させ主支柱に添え置くこともある。又、主支柱を１対の構成として説明したが、一体的な構成で下部が安定して設置されるものであれば同様に適用できる。
【図面の簡単な説明】
【００３６】
【図１】図１は、組み立てられた儀式用装飾台の外観図である。
【図２】図２は、儀式用装飾台の正面図である。
【図３】図３は、儀式用装飾台の側面図である。
【図４】図４は、図２のＸ−Ｘ断面図で、台の平面を示す。
【図５】図５は、要部を示した部分側面図である。
【図６】図６は、主支柱と副支柱の接続構成を示す部分断面図である。
【図７】図７は、収納状態を示す儀式用装飾台の側面図である。
【図８】図８は、実施の形態１の他の形態で、主支柱と副支柱のプレートによる接続構成で組み立て状態を示す部分図である。
【図９】図９は、実施の形態１の他の形態で、主支柱と副支柱のプレートによる接続構成で組み立て状態を示す部分断面図である。
【図１０】図１０は、実施の形態１の他の形態で、主支柱と副支柱のプレートによる接続構成で収納状態を示す部分図である。
【図１１】図１１は、実施の形態１の他の形態で、主支柱と副支柱のプレートによる接続構成で収納状態を示す部分断面図である。
【図１２】図１２は、実施の形態１の他の形態で、台構成を示す平面図である。
【図１３】図１３は、実施の形態１の他の形態で、台構成を示す部分断面図である。
【図１４】図１４は、支持部材に副下支持結合部材を設けた形態を示す部分断面図である。
【図１５】図１５は、支持部材に台起伏用の蝶番を設けた形態を示す部分断面図である。
【図１６】図１６は、主支柱と副支柱の接続構成で鉤部材を適用した形態を示す部分図である。
【図１７】図１７は、主支柱と副支柱の接続構成で鉤部材を適用した形態を示す部分断面図である。
【図１８】図１８は、主支柱と副支柱の接続構成で蝶番と筒体を適用した形態を示す部分図である。
【図１９】図１９は、主支柱と副支柱の接続構成で蝶番と筒体を適用した形態を示す部分断面図である。
【図２０】図２０は、１つの脚部を有する支持部材の場合に適用される台の平面図である。
【図２１】図２１は、実施の形態２の場合で、儀式用装飾台の正面図である。
【図２２】図２２は、実施の形態２の場合で、儀式用装飾台の側面図である。
【図２３】図２３は、実施の形態２の場合で、収納状態を示す儀式用装飾台の側面図である。
【符号の説明】
【００３７】
１…儀式用装飾台
２…主支柱
３…副支柱
４…台
５…上横結合部材
６…支持部材
７…下横結合部材
８…筒体
９…上支持結合部材
１０，１２…蝶番
１１…下支持結合部材
【図１】
2005329138.tif 000003
【図２】
2005329138.tif 000004
【図３】
2005329138.tif 000005
【図４】
2005329138.tif 000006
【図５】
2005329138.tif 000007
【図６】
2005329138.tif 000008
【図７】
2005329138.tif 000009
【図８】
2005329138.tif 000010
【図９】
2005329138.tif 000011
【図１０】
2005329138.tif 000012
【図１１】
2005329138.tif 000013
【図１２】
2005329138.tif 000014
【図１３】
2005329138.tif 000015
【図１４】
2005329138.tif 000016
【図１５】
2005329138.tif 000017
【図１６】
2005329138.tif 000018
【図１７】
2005329138.tif 000019
【図１８】
2005329138.tif 000020
【図１９】
2005329138.tif 000021
【図２０】
2005329138.tif 000022
【図２１】
2005329138.tif 000023
【図２２】
2005329138.tif 000024
【図２３】
2005329138.tif 000025